(57)【要約】【課題】  撮影装置からパソコン等の外部装置へ画像を転送するに際し、画像の転送に失敗した場合でも、外部装置に転送すべく撮影された画像と、メディア等の保存手段に保存すべく撮影された画像との管理を容易に行うことができるようにする。【解決手段】  撮影により取得した画像をパソコン等の外部装置へ転送するよう設定されている場合において、画像の外部装置への転送を失敗した場合に、転送に失敗した画像を通常の撮影により取得した画像を保存する保存手段の階層とは異なる階層に保存する。【選択図】          図２
2007005983.tif 000002
【特許請求の範囲】
【請求項１】
撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段と、
前記画像を前記外部装置へ転送するよう設定されている場合において、前記画像の前記外部装置への転送に失敗した場合に、該転送に失敗した画像を、前記保存手段における前記撮影により取得した画像を保存する階層とは異なる階層に保存する保存制御手段とを備えたことを特徴とする撮影装置。
【請求項２】
撮影により画像を取得する撮影手段と、
該撮影により取得した画像を保存する複数の保存手段と、
該撮影により取得した画像を外部装置に転送する転送手段と、
前記撮影により取得した画像を前記保存手段へ保存するか、前記外部装置へ転送するかを設定する設定手段と、
前記画像を前記外部装置へ転送するよう設定されている場合において、前記画像の前記外部装置への転送に失敗した場合に、該転送に失敗した画像を、前記撮影により取得した画像を保存する保存手段とは異なる保存手段に保存する保存制御手段とを備えたことを特徴とする撮影装置。
【請求項３】
撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段と、
前記画像を前記外部装置へ転送するよう設定されている場合において、前記画像の前記外部装置への転送に失敗した場合に、該転送に失敗した画像に該転送に失敗したことを表す情報を付与して前記保存手段に保存する保存制御手段とを備えたことを特徴とする撮影装置。
【請求項４】
前記保存制御手段は、前記画像を前記外部装置へ転送するよう設定されている場合において、前記転送に失敗した画像が前記保存手段に保存されているか否かを判断し、この判断が肯定された場合に、該転送に失敗した画像を前記外部装置へ再度転送する手段であることを特徴とする請求項１から３のいずれか１項記載の撮影装置。
【請求項５】
撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法において、
前記画像を前記外部装置へ転送するよう設定されている場合において、前記画像の前記外部装置への転送に失敗した場合に、該転送に失敗した画像を、前記保存手段における前記撮影により取得した画像を保存する階層とは異なる階層に保存することを特徴とする画像保存制御方法。
【請求項６】
撮影により画像を取得する撮影手段と、
該撮影により取得した画像を保存する複数の保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法において、
前記画像を前記外部装置へ転送するよう設定されている場合において、前記画像の前記外部装置への転送に失敗した場合に、該転送に失敗した画像を、前記撮影により取得した画像を保存する保存手段とは異なる保存手段に保存することを特徴とする画像保存制御方法。
【請求項７】
撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法において、
前記画像を前記外部装置へ転送するよう設定されている場合において、前記画像の前記外部装置への転送に失敗した場合に、該転送に失敗した画像に該転送に失敗したことを表す情報を付与して前記保存手段に保存することを特徴とする画像保存制御方法。
【請求項８】
撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法をコンピュータに実行させるためのプログラムにおいて、
前記画像を前記外部装置へ転送するよう設定されている場合において、前記画像の前記外部装置への転送に失敗した場合に、該転送に失敗した画像を、前記保存手段における前記撮影により取得した画像を保存する階層とは異なる階層に保存する手順を有することを特徴とするプログラム。
【請求項９】
撮影により画像を取得する撮影手段と、
該撮影により取得した画像を保存する複数の保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法をコンピュータに実行させるためのプログラムにおいて、
前記画像を前記外部装置へ転送するよう設定されている場合において、前記画像の前記外部装置への転送に失敗した場合に、該転送に失敗した画像を、前記撮影により取得した画像を保存する保存手段とは異なる保存手段に保存する手順を有することを特徴とするプログラム。
【請求項１０】
撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法をコンピュータに実行させるためのプログラムにおいて、
前記画像を前記外部装置へ転送するよう設定されている場合において、前記画像の前記外部装置への転送に失敗した場合に、該転送に失敗した画像に該転送に失敗したことを表す情報を付与して前記保存手段に保存する手順を有することを特徴とするプログラム。
【発明の詳細な説明】
【技術分野】
【０００１】
本発明は、デジタルカメラ等の撮影装置に関し、とくに撮影により取得した画像を撮影装置の保存手段に保存するか、外部装置に転送して保存するかを設定できるようにした撮影装置、撮影装置の画像保存制御方法、および画像保存制御方法をコンピュータに実行させるためのプログラムに関するものである。
【背景技術】
【０００２】
デジタルカメラは、メモリカード等のメディアを備えており、通常、撮影により取得した画像はメディアに保存されることとなる。しかしながら、メディアの容量は限られており、とくにスタジオ撮影のように大量の画像を撮影する場合には、メディアの容量が不足してしまう場合がある。このため、大容量のメディアを備えるパソコンに、ＩＥＥＥ１３９４等の有線ケーブルを用いてデジタルカメラを接続し、撮影により取得された画像をカメラのメディアではなく、パソコンに転送してパソコンで保存することが行われている。なお、有線ケーブルではなく、無線ＬＡＮ等を用いて撮影により取得された画像を転送することも可能である。
【０００３】
ところで、デジタルカメラとパソコンとの通信においては、パソコンにデジタルカメラ以外の他の機器を接続することによるバスリセットが発生したり、通信ノイズが混入したり、無線の場合には通信可能なエリアから外れてしまうと、通信エラーが発生する。このような通信エラーが画像の転送中に発生すると、画像はデジタルカメラおよびパソコンのいずれにも保存されず、消失してしまう場合がある。このため、通信エラー等により画像が正常に転送されない場合には、転送に失敗した画像をデジタルカメラのメディアに保存する手法が提案されている（特許文献１参照）。この手法によれば、通信エラー等による画像の消失を防止することができる。
【特許文献１】特開２００２−１２５１８６号公報
【発明の開示】
【発明が解決しようとする課題】
【０００４】
しかしながら、特許文献１記載の手法においては、転送に失敗した画像はメディアに保存されるため、メディアには転送に失敗した画像と、通常通りメディアに保存すべく撮影した画像とが混在して保存されることとなる。このため、後でメディアに保存された画像を見た場合、どの画像が転送すべきものであったのかが分からなくなり、画像の管理が複雑となるおそれがある。
【０００５】
本発明は上記事情に鑑みなされたものであり、画像の転送に失敗した場合でも、パソコン等の外部装置に転送すべく撮影された画像と、メディアに保存すべく撮影された画像との管理を容易に行うことができるようにすることを目的とする。
【課題を解決するための手段】
【０００６】
本発明による第１の撮影装置は、撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段と、
前記画像を前記外部装置へ転送するよう設定されている場合において、前記画像の前記外部装置への転送に失敗した場合に、該転送に失敗した画像を、前記保存手段における前記撮影により取得した画像を保存する階層とは異なる階層に保存する保存制御手段とを備えたことを特徴とするものである。
【０００７】
本発明による第２の撮影装置は、撮影により画像を取得する撮影手段と、
該撮影により取得した画像を保存する複数の保存手段と、
該撮影により取得した画像を外部装置に転送する転送手段と、
前記撮影により取得した画像を前記保存手段へ保存するか、前記外部装置へ転送するかを設定する設定手段と、
前記画像を前記外部装置へ転送するよう設定されている場合において、前記画像の前記外部装置への転送に失敗した場合に、該転送に失敗した画像を、前記撮影により取得した画像を保存する保存手段とは異なる保存手段に保存する保存制御手段とを備えたことを特徴とするものである。
【０００８】
本発明による第３の撮影装置は、撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段と、
前記画像を前記外部装置へ転送するよう設定されている場合において、前記画像の前記外部装置への転送に失敗した場合に、該転送に失敗した画像に該転送に失敗したことを表す情報を付与して前記保存手段に保存する保存制御手段とを備えたことを特徴とするものである。
【０００９】
ここで、画像の外部装置への転送の態様は、ＩＥＥＥ１３９４等の有線ケーブルを用いるものであっても、無線によるものであってもよい。
【００１０】
本発明による第１の画像保存制御方法は、撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法において、
前記画像を前記外部装置へ転送するよう設定されている場合において、前記画像の前記外部装置への転送に失敗した場合に、該転送に失敗した画像を、前記保存手段における前記撮影により取得した画像を保存する階層とは異なる階層に保存することを特徴とするものである。
【００１１】
本発明による第２の画像保存制御方法は、撮影により画像を取得する撮影手段と、
該撮影により取得した画像を保存する複数の保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法において、
前記画像を前記外部装置へ転送するよう設定されている場合において、前記画像の前記外部装置への転送に失敗した場合に、該転送に失敗した画像を、前記撮影により取得した画像を保存する保存手段とは異なる保存手段に保存することを特徴とするものである。
【００１２】
本発明による第３の画像保存制御方法は、撮影により画像を取得する撮影手段と、
該撮影により取得した画像を保存する保存手段と、
該撮影により取得した画像を外部装置に転送する転送手段と、
前記撮影により取得した画像を前記保存手段へ保存するか、前記外部装置へ転送するかを設定する設定手段とを備えた撮影装置の画像保存制御方法において、
前記画像を前記外部装置へ転送するよう設定されている場合において、前記画像の前記外部装置への転送に失敗した場合に、該転送に失敗した画像に該転送に失敗したことを表す情報を付与して前記保存手段に保存することを特徴とするものである。
【００１３】
なお、本発明による第１から第３の画像保存制御方法をコンピュータに実行させるためのプログラムとして提供してもよい。
【発明の効果】
【００１４】
本発明の第１の撮影装置およびその画像保存制御方法によれば、撮影により取得した画像を外部装置に転送するように設定されている場合において、画像の外部装置への転送に失敗すると、転送に失敗した画像が、保存手段における撮影により取得した画像が保存される階層とは異なる階層に保存される。このため、撮影により取得された画像と、転送に失敗した画像とを区別することができ、これにより、画像の管理を容易に行うことができる。
【００１５】
本発明の第２の撮影装置およびその画像保存制御方法によれば、画像を外部装置に転送するように設定されている場合において、画像の外部装置への転送を失敗すると、転送に失敗した画像が撮影により取得された画像が保存される保存手段とは異なる保存手段に保存される。このため、撮影により取得された画像と、転送に失敗した画像とを区別することができ、これにより、画像の管理を容易に行うことができる。
【００１６】
本発明の第３の撮影装置およびその画像保存制御方法によれば、画像を外部装置に転送するように設定されている場合において、画像の外部装置への転送を失敗すると、転送に失敗した画像に転送に失敗したことを表す情報が付与されて保存手段に保存される。このため、画像に付与された情報を参照することにより、撮影により取得された画像と、転送に失敗した画像とを区別することができ、これにより、画像の管理を容易に行うことができる。
【００１７】
また保存手段に転送に失敗した画像が保存されている場合に、転送に失敗した画像を再度外部装置に転送するようにすれば、転送に失敗した画像が保存手段の容量を圧迫することもなくなる。
【発明を実施するための最良の形態】
【００１８】
以下、図面を参照して本発明の実施形態について説明する。図１は本発明の第１の実施形態による撮影装置を適用したデジタルカメラを用いた画像転送システムの概念図である。図１に示すようにこの画像転送システムは、デジタルカメラ１とパソコン１００とをＩＥＥＥ１３９４等のケーブル１０２により接続し、デジタルカメラ１が撮影により取得した画像をパソコン１００に転送し、パソコン１００において画像を保存するようにしたものである。
【００１９】
図２は第１の実施形態によるデジタルカメラの構成を示す概略ブロック図である。デジタルカメラ１は、撮影レンズおよびＣＣＤ等からなり、被写体像をＣＣＤの受光面に結像させて光電変換してアナログの画像データとして出力する撮像部４０と、デジタルカメラ１全体の制御を行うとともに画像データのサンプリングタイミング制御、画像データの保存制御、通信制御および表示制御等の制御を行うＣＰＵ４２と、アナログ情報の画像データをデジタルの画像データに変換して画像データを取得するＡ／Ｄ変換器４４と、画像サイズの変更、階調処理、色変換処理、濃度変換処理、シャープネス処理およびホワイトバランス調整処理等の画像処理を行う信号処理部４６と、ストロボ４８と、ストロボ４８の操作を制御するストロボ制御部５０と、不図示のレリーズボタン、モード選択レバー、撮影モード選択ダイヤルおよび十字カーソル等のユーザが情報を入力する際に用いる入力部５２と、入力部５２の設定情報を入力するインターフェースであるＩ／Ｏ５４とを備える。
【００２０】
また、デジタルカメラ１は、画像データをＪＰＥＧに代表される手法で圧縮したり、圧縮した画像データを解凍する圧縮解凍部５６と、メモリカードスロット５８に着脱可能に装着されたメモリカード６０に画像データを保存したり読み出したりするために画像データを変換するカードインターフェース６２とを備える。メモリカード６０は、半導体、磁気記録および光記録に代表される着脱可能な記録媒体である。
【００２１】
また、デジタルカメラ１は、画像データの転送を行うプログラムを含むＣＰＵ４２の動作プログラムや各定数が記憶されているＲＯＭおよびプログラム実行時の作業領域となる記憶手段であるＲＡＭにより構成されているシステムメモリ６４と、デジタルカメラ１の各種設定定数を電源遮断後も記憶し続けることが可能な書き替え可能な不揮発性メモリ６６と、タイマ撮影時に駆動されるタイマ６８と、現在の時刻を刻むカレンダ時計７０と、画像データや各種情報を通信によって送受信する場合に用いるＵＳＢ、ＩＥＥＥ１３９４、Ｅｔｈｅｒｎｅｔ（登録商標）等の規格の有線インターフェース７３と、画像データをＬＣＤ１２に表示するためのＤ／Ａ変換等を行うＬＣＤ制御部７４と、ＣＰＵ４２から指令される表示用の画像データを一時的に記憶しておくＶＲＡＭ等で構成されているフレームメモリ７６と、ＣＰＵ４２から指令されるコード情報を表示する文字やメッセージデータに変換して画像とともにオンスクリーンディスプレイするＯＳＤ７８とを備える。なお、電力を各部へ供給するバッテリ８０も備える。
【００２２】
有線インターフェース７３には通信コネクタ３２が接続されており、パソコン１００等外部装置と画像データを含む各種情報の送受信を実施することが可能となっている。
【００２３】
さらに、デジタルカメラ１は、パソコン１００に撮影により取得した画像データを転送する際の一時記憶領域となる画像転送部８２を備える。
【００２４】
そしてＣＰＵ４２がシステムメモリ６４からプログラムを読み出して実行することにより、ＣＰＵ４２が設定手段および保存制御手段として機能する。また、有線インターフェース７３および通信コネクタ３２が転送手段として機能する。
【００２５】
なお、本実施形態においては、通信コネクタ３２に何らケーブルが接続されていない場合には、撮影部４０が取得した画像データはメモリカード６０に保存される。この状態を以降転送モードＯＦＦと称する。一方、通信コネクタ３２にケーブル１０２が接続されてパソコン１００との通信が確立されていることをＣＰＵ４２が検出した場合には、撮影部４０が取得した画像データはパソコン１００に転送され、パソコン１００において保存される。この状態を以降転送モードＯＮと称する。
【００２６】
なお、転送モードのＯＮ／ＯＦＦの設定は、入力部５２を用いることにより行ってもよい。
【００２７】  図３は第１の実施形態におけるメモリカード６０のフォルダ構造を示す図である。図３に示すようにメモリカード６０には第１階層にＤＣＩＦフォルダが作成されており、その下位の階層にｘｘｘ（公序良俗違反につき、不掲載）フォルダおよびＦＡＩＬフォルダが作成されている。ｘｘｘ（公序良俗違反につき、不掲載）フォルダには、転送モードＯＦＦの状態において撮影により取得された、すなわち通常の撮影により取得された画像データが保存される。一方、ＦＡＩＬフォルダには、転送モードＯＮの状態において転送に失敗した画像データ（以下、転送失敗画像データとする）が保存される。【００２８】
次いで、第１の実施形態において行われる処理について説明する。図４は第１の実施形態において行われる処理を示すフローチャートである。なお、転送モードはあらかじめユーザが所望とする状態に設定されているものとする。デジタルカメラ１のユーザが撮影を行うことによりＣＰＵ４２が処理を開始し、まず転送モードがＯＮとされているか否かを判定する（ステップＳＴ１）。
【００２９】  ステップＳＴ１が否定されると、メモリカード６０のｘｘｘ（公序良俗違反につき、不掲載）フォルダに撮影により取得した画像データを保存し（ステップＳＴ２）、処理を終了する。【００３０】
一方、ステップＳＴ１が肯定されると、画像転送部８２に一時的に記憶されている撮影により取得した画像データをパソコン１００に転送し（ステップＳＴ３）、転送に成功したか否かを判定する（ステップＳＴ４）。この判定は、パソコン１００が送信した、転送完了の旨の信号を所定時間内に受信したか否かを判定することにより行う。転送に成功した場合は処理を終了する。転送に失敗した場合は、ＦＡＩＬフォルダに転送失敗画像データを保存し（ステップＳＴ５）、処理を終了する。
【００３１】  このように、第１の実施形態においては、転送モードＯＮの場合において、画像データのパソコン１００への転送に失敗すると、転送失敗画像データをメモリカード６０のＦＡＩＬフォルダに保存するようにしたものである。ここで転送モードＯＦＦの通常の撮影により取得された画像データはｘｘｘ（公序良俗違反につき、不掲載）フォルダに保存されるため、通常の撮影により取得された画像データと、転送失敗画像データとを区別することができる。したがって、画像データの管理を容易に行うことができる。【００３２】
次いで、本発明の第２の実施形態について説明する。図５は第２の実施形態によるデジタルカメラ１の構成を示す概略ブロック図である。なお、第２の実施形態において第１の実施形態と同一の構成については同一の参照番号を付与し、ここでは詳細な説明は省略する。第２の実施形態によるデジタルカメラ１′は、２つのメモリカードスロット５８Ａ，５８Ｂを備え、そのそれぞれにメモリカード６０Ａ，６０Ｂを装着し、通常の撮影により取得された画像データをメモリカード６０Ａに、転送失敗画像データをメモリカード６０Ｂに保存するようにしたものである。
【００３３】
次いで、第２の実施形態において行われる処理について説明する。図６は第２の実施形態において行われる処理を示すフローチャートである。なお、転送モードはあらかじめユーザが所望とする状態に設定されているものとする。デジタルカメラ１のユーザが撮影を行うことによりＣＰＵ４２が処理を開始し、まず転送モードがＯＮとされているか否かを判定する（ステップＳＴ１１）。
【００３４】
ステップＳＴ１１が否定されると、メモリカード６０Ａに撮影により取得した画像データを保存し（ステップＳＴ１２）、処理を終了する。
【００３５】
一方、ステップＳＴ１１が肯定されると、画像転送部８２に一時的に記憶されている撮影により取得した画像データをパソコン１００に転送し（ステップＳＴ１３）、転送に成功したか否かを判定する（ステップＳＴ１４）。転送に成功した場合は処理を終了する。転送に失敗した場合は、メモリカード６０Ｂに転送失敗画像データを保存し（ステップＳＴ１５）、処理を終了する。
【００３６】
このように、第２の実施形態においては、転送モードＯＮの場合において、画像データのパソコン１００への転送に失敗すると、転送失敗画像データをメモリカード６０Ｂに保存するようにしたものである。ここで転送モードＯＦＦの通常の撮影により取得された画像データはメモリカード６０Ａに保存されるため、通常の撮影により取得された画像データと転送失敗画像データとを区別することができる。したがって、画像データの管理を容易に行うことができる。
【００３７】
次いで、本発明の第３の実施形態について説明する。第３の実施形態によるデジタルカメラ１は第１の実施形態によるデジタルカメラ１と同一の構成を有するものであるため、その構成についての説明は省略する。第３の実施形態によるデジタルカメラ１″は、転送モードＯＮの状態において画像データの転送に失敗した場合に、転送失敗画像データのタグ情報にその旨の情報を記述してメモリカード６０に保存するようにしたものである。
【００３８】
図７は画像データのファイル構造を示す図である。図７に示すように画像データのファイル２０にはタグ情報２１と画像本体２２とが含まれている。タグ情報２１には、ファイル名、撮影日時、転送ＦＡＩＬ情報、およびコメント等が記述されることにより、これらの情報が画像に付与されている。
【００３９】
図８は転送ＦＡＩＬ情報の詳細を示す図である。図８に示すように転送ＦＡＩＬ情報は、転送ＦＡＩＬ、転送先、転送時刻およびＦＡＩＬ原因の情報を含む。転送ＦＡＩＬはデフォルトとして０が記述されており、転送に失敗した場合に１が記述される。転送先は転送先を特定するための情報であり、転送時刻は転送が完了した時刻である。ＦＡＩＬ原因は、通信タイムアウト、ノイズ混入等の通信に失敗した原因を表すあらかじめ定められた数値である。例えば、通信タイムアウトの場合に１、ノイズ混入の場合に２が記述される。図８に示す転送ＦＡＩＬ情報においては、転送ＦＡＩＬに１が記述され、ＦＡＩＬ原因に１が記述されているため、転送に失敗し、その原因が通信タイムアウトであったことが分かる。
【００４０】
次いで、第３の実施形態において行われる処理について説明する。図９は第３の実施形態において行われる処理を示すフローチャートである。なお、転送モードはあらかじめユーザが所望とする状態に設定されているものとする。デジタルカメラ１のユーザが撮影を行うことによりＣＰＵ４２が処理を開始し、まず転送モードがＯＮとされているか否かを判定する（ステップＳＴ２１）。
【００４１】
ステップＳＴ２１が否定されると、撮影により取得した画像データをメモリカード６０Ａに保存し（ステップＳＴ２２）、処理を終了する。
【００４２】
一方、ステップＳＴ２１が肯定されると、画像転送部８２に一時的に記憶されている撮影により取得した画像データをパソコン１００に転送し（ステップＳＴ２３）、転送に成功したか否かを判定する（ステップＳＴ２４）。転送に成功した場合は処理を終了する。転送に失敗した場合は、転送失敗画像データのタグ情報２１における転送ＦＡＩＬ情報の転送ＦＡＩＬに１、ＦＡＩＬ原因に転送失敗の原因の数値を記述し（ステップＳＴ２５）、メモリカード６０に転送失敗画像データを保存し（ステップＳＴ２６）、処理を終了する。
【００４３】
このように、第３の実施形態においては、転送モードＯＮの場合において、画像データのパソコン１００への転送に失敗すると、転送失敗画像データに転送に失敗した旨の情報を付与するようにしたため、その情報を参照することにより、通常の撮影により取得された画像データと、転送失敗画像データとを区別することができる。したがって、画像データの管理を容易に行うことができる。
【００４４】
次いで、転送失敗画像データが保存されている場合に行われる処理について説明する。なお、この処理は、ユーザの指示により行ってもよいが、撮影が所定時間行われなかった場合、あるいはデジタルカメラの電源をオフの状態からオンとした場合にＣＰＵ４２がそれを検出することにより行うようにしてもよい。図１０は転送失敗画像データが保存されている場合に行われる処理を示すフローチャートである。まず、ＣＰＵ４２は転送モードがＯＮとされているか否かを判定する（ステップＳＴ３１）。ステップＳＴ３１が否定されると処理を終了する。ステップＳＴ３１が肯定されると、転送失敗画像データが保存されているか否かを確認し、転送失敗画像データの数（転送失敗画像数）Ｎを設定する（ステップＳＴ３２）。さらに、転送失敗画像データの転送の順序を定める数値Ｋを初期値０に設定する（ステップＳＴ３３）。ここで、転送の順序としては、例えばファイル名順とすればよい。
【００４５】
なお、ステップＳＴ３２の処理は、上記第１の実施形態によるデジタルカメラ１の場合は、メモリカード６０のＦＡＩＬフォルダに画像データが保存されているか否かを、第２の実施形態によるデジタルカメラ１′の場合は、メモリカード６０Ｂに画像データが保存されているか否かを、第３の実施形態によるデジタルカメラ１″の場合は、タグ情報２１の転送ＦＡＩＬ情報の転送ＦＡＩＬに１が記述されている画像データがメモリカード６０に保存されているか否かを確認することにより行う。
【００４６】
次いで、Ｋ＜Ｎであるか否かを判定する（ステップＳＴ３４）。ここで、転送失敗画像がない場合Ｎ＝０となるため、ステップＳＴ３４が否定され、処理を終了する。
【００４７】
ステップＳＴ３４が肯定されると、Ｋ＋１番目（最初の場合はＫ＝０であるため１番目）の転送失敗画像データをパソコン１００に転送する（ステップＳＴ３５）。そして転送に成功したか否かを判定し（ステップＳＴ３６）、ステップＳＴ３６が肯定されると、Ｋ＋１番目の転送失敗画像データをメモリカード６０，６０Ｂから削除し（ステップＳＴ３７）、Ｋの値を１つインクリメントして（ステップＳＴ３８）、ステップＳＴ３４に戻り、ステップＳＴ３４以降の処理を繰り返す。
【００４８】
一方、ステップＳＴ３６が否定されると、ステップＳＴ３８に進み、Ｋの値を１つインクリメントして（ステップＳＴ３８）、ステップＳＴ３４に戻り、ステップＳＴ３４以降の処理を繰り返す。
【００４９】
そして、すべての転送失敗画像データについて転送の処理が完了するとステップＳＴ３４が否定されるため、処理を終了する。なお、ここでいう転送の処理とは、ステップＳＴ３５の処理のことであり、転送が成功したか否かは問わないものである。
【００５０】
このように、転送失敗画像データがメモリカード６０，６０Ｂに保存されている場合に、転送失敗画像データを再度転送するようにすれば、転送失敗画像データがメモリカード６０，６０Ｂの容量を圧迫することがなくなる。
【００５１】
なお、上記実施形態においては、デジタルカメラ１，１′とパソコン１００とをケーブル１０２により接続しているが、無線により接続して画像データの転送を行うようにしてもよい。
【図面の簡単な説明】
【００５２】
【図１】本発明の第１の実施形態による撮影装置を適用したデジタルカメラを用いた画像転送システムの概念図
【図２】第１の実施形態によるデジタルカメラの構成を示す概略ブロック図
【図３】第１の実施形態におけるメモリカードのフォルダ構造を示す図
【図４】第１の実施形態において行われる処理を示すフローチャート
【図５】第２の実施形態によるデジタルカメラの構成を示す概略ブロック図
【図６】第２の実施形態において行われる処理を示すフローチャート
【図７】画像データのファイル構造を示す図
【図８】転送ＦＡＩＬ情報を示す図
【図９】第３の実施形態において行われる処理を示すフローチャート
【図１０】転送失敗画像データが保存されている場合に行われる処理を示すフローチャート
【符号の説明】
【００５３】
１，１′、１″    デジタルカメラ
３２    通信コネクタ
４０    撮像部
４２    ＣＰＵ
６０，６０Ａ，６０Ｂ    メモリカード
８２    画像転送部
１００    パソコン
１０２    ケーブル
【図１】
2007005983.tif 000003
【図２】
2007005983.tif 000004
【図３】
2007005983.tif 000005
【図４】
2007005983.tif 000006
【図５】
2007005983.tif 000007
【図６】
2007005983.tif 000008
【図７】
2007005983.tif 000009
【図８】
2007005983.tif 000010
【図９】
2007005983.tif 000011
【図１０】
2007005983.tif 000012